(57)【特許請求の範囲】
【請求項１】
携帯端末と連携して携帯端末側のアプリケーションの機能を利用可能になされた車載装置であって、
上記携帯端末が接続されたときに、上記携帯端末にインストールされているアプリケーションのアイコンおよび当該アイコンが存在する上記携帯端末のページを表すページ情報を取得する情報取得部と、
上記情報取得部により取得されたページ情報に基づいて、上記情報取得部により取得されたアイコンをページ別に識別して、かつ、上記携帯端末の対応するアプリケーションを起動可能に、上記車載装置の画面上に個別に表示させる画面表示制御部とを備えたことを特徴とする車載装置。
【請求項２】
上記情報取得部は、上記携帯端末にインストールされているアプリケーションの識別情報を更に取得し、
上記情報取得部により取得された識別情報に基づいて、上記携帯端末にインストールされているアプリケーションのうち上記車載装置で利用可能なアプリケーションを判定する利用可否判定部を更に備え、
上記画面表示制御部は、上記情報取得部により取得されたページ情報に基づいて、上記情報取得部により取得されたアイコンのうち上記利用可否判定部により上記車載装置で利用可能と判定されたアプリケーションに対応するアイコンをページ別に識別して、かつ、上記携帯端末の対応するアプリケーションを起動可能に、上記車載装置の画面上に個別に表示させることを特徴とする請求項１に記載の車載装置。
【請求項３】
上記情報取得部は、上記携帯端末のページ内での上記アイコンの表示レイアウトを表すレイアウト情報を更に受信し、
上記画面表示制御部は、上記情報取得部により取得されたページ情報およびレイアウト情報に基づいて、上記情報取得部により取得されたアイコンのうち上記利用可否判定部により上記車載装置で利用可能と判定されたアプリケーションに対応するアイコンを、ページ別に識別し、かつ、上記携帯端末の対応するアプリケーションを起動可能に、上記携帯端末での表示レイアウトと同じレイアウトで上記車載装置の画面上に個別に表示させることを特徴とする請求項２に記載の車載装置。
【請求項４】
前記画面表示制御部は、上記情報取得部により取得されたアイコンの下部のアプリケーションの概要を表す文字部分の背景色をページ別に識別して表示させる
ことを特徴とする請求項１から３のいずれか一項に記載の車載装置。
【請求項５】
前記画面表示制御部は、上記情報取得部により取得されたアイコンの周囲の枠の表示色をページ別に識別して表示させる
ことを特徴とする請求項１から３のいずれか一項に記載の車載装置。
【請求項６】
携帯端末と連携して携帯端末側のアプリケーションの機能を利用可能になされた車載装置におけるアイコン表示方法であって、
上記携帯端末が接続されたときに、上記車載装置が、上記携帯端末にインストールされているアプリケーションのアイコンおよび当該アイコンが存在するページを表すページ情報を取得する情報取得ステップと、
上記車載装置が、上記情報取得ステップにて取得したページ情報に基づいて、上記情報取得ステップにて取得したアイコンをページ別に識別して、且つ、対応する上記携帯端末のアプリケーションを起動可能に、上記車載装置の画面上に個別に表示させる画面表示ステップとを有することを特徴とするアイコン表示方法。
【発明の詳細な説明】
【技術分野】
【０００１】
本発明は、車載装置およびアイコン表示方法に関し、特に、携帯端末と連携して携帯端末側のアプリケーションの機能を利用可能になされた車載装置に用いて好適なものである。
【背景技術】
【０００２】
近年、携帯電話の機能と携帯情報端末（ＰＤＡ）の機能とを融合させた携帯端末が提供されている。この種の携帯端末は、スマートフォンと呼ばれており、通常の通話機能だけでなく、ＰＤＡが得意とする各種のアプリケーション機能を持っている。多くのスマートフォンは、タッチパネル画面を備えている。このタッチパネル画面には、通話を含む複数のアプリケーションを利用するための操作キー（アイコン）が表示され、当該アイコンのタッチ操作によって所望のアプリケーションを簡単に起動できるようになされている。
【０００３】
通常、１画面に表示されるアイコンの最大数は決まっている。その最大数よりも多くのアプリケーションがスマートフォンにインストールされている場合、それらのアプリケーションに対応するアイコンは、複数のページにまたがって表示される。
【０００４】
一方、ＵＳＢ（Universal Serial Bus）等の有線あるいはブルートゥース等の無線によってスマートフォンと連携し、スマートフォンにインストールされたアプリケーションの機能を利用可能になされた車載装置も提供されつつある。この種の車載装置では、車載装置が対応するリソースの１つにスマートフォンを割り当て、リソース選択画面でスマートフォンを選択することにより、スマートフォンのアプリケーションに対する操作を車載装置において行うことができるようになされている。
【０００５】
この種の車載装置において、スマートフォンのタッチパネル画面に表示されている複数のアイコンのうち、車載装置で実際に利用可能なアプリケーションに対応するアイコンのみを車載装置の画面に表示させる技術も提案されている。この技術を用いれば、車載装置で利用できないアプリケーションのアイコンは車載装置に表示されないので、アイコンを操作しているのにアプリケーションが起動しないといった不都合を回避することができる。
【０００６】
なお、携帯電話の車両への携帯を検出すると、アプリケーションを自動的に起動し、ネットワークに設けられたサーバから所定の情報（運転の際に留意する情報など）を取得して表示するようにした技術も提案されている（例えば、特許文献１参照）。
【先行技術文献】
【特許文献】
【０００７】
【特許文献１】特開２００８−７８６９６号公報
【発明の概要】
【発明が解決しようとする課題】
【０００８】
しかしながら、上記従来の技術では、車載装置の画面上に表示されるアイコンの並び順は、スマートフォンの画面上に表示されるアイコンの並び順と異なったものになってしまう。特に、普段スマートフォンを使用する上でユーザは、何ページ目に何のアイコンがあるのかを記憶していて、その記憶を頼りに所望のアイコンを探している場合が多いが、ページに対するアイコンの割り振り方がスマートフォンと車載装置とで全く異なったものとなってしまう。そのため、スマートフォンの表示画面を見慣れているユーザが車載装置で所望のアイコンを選択しようとする際に、当該所望のアイコンを探すのに手間取ってしまうことがあるという問題があった。
【０００９】
本発明は、このような問題を解決するために成されたものであり、スマートフォン等の携帯端末にインストールされているアプリケーションのアイコンを車載装置の画面上でユーザが選択する際に、所望のアイコンを探し易くすることを目的とする。
【課題を解決するための手段】
【００１０】
上記した課題を解決するために、本発明の車載装置では、携帯端末が接続されたときに、当該携帯端末にインストールされているアプリケーションのアイコンおよび当該アイコンが存在するページを表すページ情報を取得し、各アイコンをページ別に識別して、かつ、対応する携帯端末のアプリケーションを起動可能に、車載装置の画面上に個別に表示させるようにしている。
【発明の効果】
【００１１】
上記のように構成した本発明によれば、車載装置の画面上に表示されるアイコンが、携帯端末上で何ページ目に存在するものであるかが識別可能に示される。これにより、携帯端末の画面上で何ページ目に何のアイコンがあるのかを記憶していて、普段はその記憶を頼りに所望のアイコンを探しているユーザにとって、車載装置の画面上でも携帯端末の画面とほぼ同じページ感覚で所望のアイコンを探すことができる。そのため、携帯端末の表示画面を見慣れているユーザが車載装置で所望のアイコンを選択しようとする際に、当該所望のアイコンを探し易くすることができる。
【図面の簡単な説明】
【００１２】
【図１】本実施形態による車載装置を含むアプリケーション実行システムの機能構成例を示すブロック図である。
【図２】本実施形態による車載装置の表示部に表示される画面の例を示す図である。
【図３】本実施形態による車載装置の動作例を示すフローチャートである。
【図４】本実施形態による車載装置の表示部に表示される画面の他の例を示す図である。
【図５】本実施形態による車載装置の表示部に表示される画面の他の例を示す図である。
【図６】本実施形態による車載装置の表示部に表示される画面の他の例を示す図である。
【発明を実施するための形態】
【００１３】
以下、本発明の一実施形態を図面に基づいて説明する。図１は、本実施形態による車載装置を含むアプリケーション実行システムの機能構成例を示すブロック図である。図１に示すように、本実施形態のアプリケーション実行システムは、車載装置１００とスマートフォン等の携帯端末２００とを有線または無線により接続して構成されている。本実施形態の車載装置１００は、携帯端末２００と連携して携帯端末２００側のアプリケーションプログラム（以下、単にアプリケーションという）の機能を利用可能に成されている。
【００１４】
車載装置１００は、通信部１０１、操作部１０２、表示部１０３、画面表示制御部１０４、利用可否判定部１０５、アプリケーション管理テーブル１０６、指示判定部１０７、動作実行制御部１０８および動作停止制御部１０９を備えて構成されている。また、携帯端末２００は、通信部２０１、操作部２０２、表示部２０３、画面表示制御部２０４、アプリケーション記憶部２０５、アイコン記憶部２０６、動作制御部２０７および連携処理部２０８を備えて構成されている。
【００１５】
車載装置１００の通信部１０１および携帯端末２００の通信部２０１は、車載装置１００と携帯端末２００とが接続された状態において、相互に各種のデータを通信する。例えば、通信部１０１，２０１は、携帯端末２００にインストールされているアプリケーションの起動命令、動作実行命令、動作停止命令などのコマンド情報を車載装置１００から携帯端末２００に通信する。
【００１６】
また、通信部１０１，２０１は、携帯端末２００にインストールされているアプリケーションの識別情報（例えば、ファイル名など）、アプリケーション起動用のアイコン、当該アイコンが存在する携帯端末２００のページを表すページ情報、アプリケーションの実行結果を示す画面情報（以下、アプリケーション画面という）などを携帯端末２００から車載装置１００に通信する。車載装置１００の通信部１０１は、本発明の情報取得部に相当する。
【００１７】
通信部１０１，２０１は、車載装置１００と携帯端末２００とが接続状態にあるか否かを検出する機能を有している。すなわち、通信部１０１，２０１は、車載装置１００と携帯端末２００とがケーブル等の有線で繋がれたときに、相互に所定の通信を行うことによって接続状態が確立したか否かを検出する。車載装置１００と携帯端末２００とをブルートゥース等により無線接続する形態の場合は、通信部１０１，２０１は、車載装置１００と携帯端末２００とが無線通信圏内に入ったときに、相互に所定の通信を行うことによって接続状態が確立したか否かを検出する。接続状態にあることを検出した場合、通信部１０１は、その旨を利用可否判定部１０５に通知する。
【００１８】
車載装置１００の操作部１０２は、ユーザが車載装置１００に対して各種の指示を行うためのものであり、例えばタッチパネルにより構成される。なお、操作部１０２はタッチパネルである必要はなく、例えばリモコンであってもよい。表示部１０３は、各種情報を表示するためのものであり、例えば液晶ディスプレイにより構成される。この表示部１０３には、携帯端末２００から送られてくるアイコンやアプリケーション画面などが表示される。
【００１９】
画面表示制御部１０４は、表示部１０３に対する上述した各種情報の表示を制御する。本実施形態において画面表示制御部１０４は、携帯端末２００から送られてくるアイコンを表示部１０３に表示するときに、車載装置１００で利用できるアプリケーションに対応するアイコンのみを表示し、車載装置１００で利用できないアプリケーションに対応するアイコンは表示しないように制御する。
【００２０】
また、画面表示制御部１０４は、通信部１０１により取得されたページ情報に基づいて、通信部１０１により取得されたアイコンを携帯端末２００のページ別に識別して表示させるように制御する。より具体的には、画面表示制御部１０４は、通信部１０１により取得されたアイコンのうち車載装置１００で利用できると判定されたアプリケーションに対応するアイコンを、携帯端末２００のページ別に識別して表示させる。
【００２１】
車載装置１００で利用できるアプリケーションか否かの判定は、利用可否判定部１０５が行う。その利用可否判定には、アプリケーション管理テーブル１０６に記憶されている管理情報を用いる。アプリケーション管理テーブル１０６は、車載装置１００で利用できるアプリケーションの識別情報（ファイル名）をあらかじめ記憶している。利用可否判定部１０５は、通信部１０１が携帯端末２００から受信したアプリケーションの識別情報と、アプリケーション管理テーブル１０６に記憶されているアプリケーションの識別情報とを比較することにより、携帯端末２００にインストールされているアプリケーションのうち車載装置１００で利用できるアプリケーションを判別する。
【００２２】
利用可否判定部１０５は、車載装置１００で利用できるアプリケーションを画面表示制御部１０４に通知する。この通知を受けた画面表示制御部１０４は、通信部１０１が携帯端末２００から受信したアイコンのうち、車載装置１００で利用できるアプリケーションに対応するアイコンのみを表示部１０３に表示するように制御する。なお、利用可否判定部１０５で判定した結果を、通信部１０１を介して携帯端末２００に通知することにより、車載装置１００で利用できるアプリケーションに対応するアイコンのみを携帯端末２００から車載装置１００に送信し、それを画面表示制御部１０４が表示部１０３に表示するように制御してもよい。
【００２３】
指示判定部１０７は、操作部１０２への操作を通じて車載装置１００に対して行われた指示の種類を判定する。例えば、指示判定部１０７は、操作部１０２に対する操作（表示部１０３に表示されたアイコンの押下操作）を通じて、携帯端末２００にインストールされているアプリケーションの起動指示が行われたか否かを判定する。起動指示が行われたと判定した場合、指示判定部１０７はその旨を動作実行制御部１０８に通知する。この通知を受けた動作実行制御部１０８は、通信部１０１を介して携帯端末２００に対して該当するアプリケーションの起動命令を送信する。この起動命令には、命令の対象とするアプリケーションの識別情報が含まれている。
【００２４】
また、指示判定部１０７は、操作部１０２に対する操作（表示部１０３に表示されたアプリケーション画面に設けられている各種操作ボタンの押下操作）を通じて、携帯端末２００にインストールされているアプリケーションに対する動作実行指示が行われたか否かを判定する。動作実行指示が行われたと判定した場合、指示判定部１０７はその指示の内容を動作実行制御部１０８に通知する。この通知を受けた動作実行制御部１０８は、通信部１０１を介して携帯端末２００に対して動作実行命令を送信する。この動作実行命令には、命令の対象とするアプリケーションの識別情報が含まれている。
【００２５】
また、指示判定部１０７は、操作部１０２に対する操作（表示部１０３に表示されたアプリケーション画面に設けられているシャットダウンボタンの押下操作）を通じて、携帯端末２００にインストールされているアプリケーションに対する動作停止指示が行われたか否かを判定する。動作停止指示が行われたと判定した場合、指示判定部１０７はその旨を動作停止制御部１０９に通知する。この通知を受けた動作停止制御部１０９は、通信部１０１を介して携帯端末２００に対して該当するアプリケーションの動作停止命令を送信する。この動作停止命令には、命令の対象とするアプリケーションの識別情報が含まれている。
【００２６】
携帯端末２００の操作部２０２は、ユーザが携帯端末２００に対して各種の指示を行うためのものであり、例えばタッチパネルにより構成される。表示部２０３は、各種情報を表示するためのものであり、例えば液晶ディスプレイにより構成される。この表示部２０３には、携帯端末２００にインストールされているアプリケーションのアイコンやアプリケーション画面などが表示される。画面表示制御部２０４は、表示部２０３に対する上述した各種情報の表示を制御する。
【００２７】
アプリケーション記憶部２０５は、携帯端末２００にインストールされているアプリケーションを記憶する。アイコン記憶部２０６は、携帯端末２００にインストールされているアプリケーションに対応するアイコンおよび当該アイコンが存在する携帯端末２００のページを表すページ情報を記憶する。アイコン記憶部２０６に記憶されているアイコンは、画面表示制御部２０４に供給されて表示部２０３に表示される。
【００２８】
また、アイコン記憶部２０６に記憶されているアイコンおよびページ情報は、連携処理部２０８により取得され、通信部２０１を介して車載装置１００に送信される。そして、画面表示制御部１０４の制御によって、通信部１０１で取得したアイコンのうち車載装置１００で利用できるアプリケーションに対応するものが、携帯端末２００の画面上において存在するページを識別可能な態様にて表示部１０３に表示される。
【００２９】
動作制御部２０７は、操作部２０２に対してユーザにより行われる操作に応じて、アプリケーション記憶部２０５に記憶されているアプリケーションの携帯端末２００での動作を制御する。例えば、動作制御部２０７は、押下されたアイコンに対応するアプリケーションの起動、アプリケーションが有する機能の実行、アプリケーションの動作停止などを制御する。機能実行の結果として生成されるアプリケーション画面は、画面表示制御部２０４に出力されて表示部２０３に表示される。また、当該アプリケーション画面は、連携処理部２０８により取得され、通信部２０１を介して車載装置１００に送信される。そして、車載装置１００に送信されたアプリケーション画面は、画面表示制御部１０４により表示部１０３に表示される。
【００３０】
連携処理部２０８は、車載装置１００が携帯端末２００と連携して携帯端末２００側のアプリケーションの機能を利用する際に必要な情報を、通信部２０１を介して車載装置１００に提供する。すなわち、連携処理部２０８は、アイコン記憶部２０６からアイコンおよび当該アイコンのページ情報を取得し、車載装置１００に提供する。また、連携処理部２０８は、アプリケーション記憶部２０５からアプリケーションの識別情報を取得し、車載装置１００に提供する。また、連携処理部２０８は、動作制御部２０７からアプリケーション画面を取得し、車載装置１００に提供する。
【００３１】
また、連携処理部２０８は、車載装置１００から起動命令、動作実行命令、動作停止命令などのコマンド情報が送られてきたときは、そのコマンド情報を動作制御部２０７に供給する。動作制御部２０７は、連携処理部２０８から受け取ったコマンド情報に従って、携帯端末２００の動作を制御する。
【００３２】
図２は、車載装置１００の表示部１０３に表示されるアイコン画面の例を示す図である。図２に示すように、携帯端末２００が接続された車載装置１００の表示部１０３には、携帯端末２００にインストールされているアプリケーションのうち、車載装置１００で利用可能なアプリケーションに対応するアイコン２１，２２，２３のみが表示される。
【００３３】
図２において、□の中に“１”の数字を付した複数のアイコン２１は、携帯端末２００の画面上で１ページ目に表示されるアイコンのうち車載装置１００で利用可能なアプリケーションに対応するものである。□の中に“２”の数字を付した複数のアイコン２２は、携帯端末２００の画面上で２ページ目に表示されるアイコンのうち車載装置１００で利用可能なアプリケーションに対応するものである。□の中に“３”の数字を付した複数のアイコン２３は、携帯端末２００の画面上で３ページ目に表示されるアイコンのうち車載装置１００で利用可能なアプリケーションに対応するものである。
【００３４】
図２に示すように、１ページ目のアイコン２１、２ページ目のアイコン２２および３ページ目のアイコン２３は、１画面内に左上から順に整然と並べてマトリクス状に表示されている。また、各アイコン２１〜２３の下部には、アプリケーションの概要を表す文字が表示されている。本実施形態では、この文字部分の背景色を携帯端末２００のページ別に識別して表示させるようにしている。例えば、１ページ目のアイコン２１については文字の背景色を緑色、２ページ目のアイコン２２については橙色、３ページ目のアイコン２３についてはピンク色とする。
【００３５】
図３は、上記のように構成した本実施形態による車載装置１００の動作例を示すフローチャートである。図３に示すフローチャートは、車載装置１００と携帯端末２００との接続時に実行される。図３において、通信部１０１は、携帯端末２００が接続されたか否かを判定する（ステップＳ１）。携帯端末２００が接続されたと判断した場合、通信部１０１は、携帯端末２００にインストールされている各アプリケーションの識別情報、アイコン、ページ情報を携帯端末２００から受信する（ステップＳ２）。
【００３６】
利用可否判定部１０５は、携帯端末２００から受信したアプリケーションの識別情報と、アプリケーション管理テーブル１０６に記憶されているアプリケーションの識別情報とを比較することにより、携帯端末２００にインストールされているアプリケーションのうち車載装置１００で利用できるアプリケーションを判別する（ステップＳ３）。そして、利用可否判定部１０５は、車載装置１００で利用できるアプリケーションを画面表示制御部１０４に通知する。
【００３７】
画面表示制御部１０４は、利用可否判定部１０５からの通知を受けて、携帯端末２００から通信部１０１にて受信したページ情報に基づいて、同じく通信部１０１にて受信したアイコンのうち車載装置１００で利用できるアプリケーションに対応するアイコン２１を、図２のように携帯端末２００のページ別に識別して表示させる（ステップＳ４）。そして、図３に示すフローチャートの処理は終了する。
【００３８】
以上詳しく説明したように、本実施形態の車載装置１００では、携帯端末２００が接続されたときに、当該携帯端末２００にインストールされているアプリケーションのアイコンおよび当該アイコンが存在する携帯端末２００のページを表すページ情報を通信部１０１にて取得する。そして、画面表示制御部１０４の制御によって車載装置１００の表示部１０３に各アイコンを表示するときは、各アイコンを携帯端末２００のページ別に識別して表示させるようにしている。
【００３９】
このように構成した本実施形態によれば、車載装置１００の画面上に表示されるアイコンが、携帯端末２００上で何ページ目に存在するものであるかが識別可能に示される。これにより、携帯端末２００の画面上で何ページ目に何のアイコンがあるのかを記憶していて、普段はその記憶を頼りに所望のアイコンを探しているユーザにとって、車載装置１００の画面上でも携帯端末２００の画面とほぼ同じページ感覚で所望のアイコンを探すことができる。そのため、携帯端末２００の表示画面を見慣れているユーザが車載装置１００で所望のアイコンを選択しようとする際に、当該所望のアイコンを探し易くすることができる。
【００４０】
なお、上記実施形態では、車載装置１００の表示部１０３に表示するアイコン画面の例として図２の形態を示したが、本発明はこれに限定されない。例えば、図４〜図６のような態様でアイコン画面を表示してもよい。図４の例では、アイコン２１〜２３の周囲に枠を設け、この枠の表示色を携帯端末２００のページ別に識別して表示させている。
【００４１】
図５の例では、携帯端末２００のページ別にアイコン２１〜２３の表示領域を区別して表示させている。具体的には、アイコン２１〜２３の表示領域を上・中・下の３段に分け、１ページ目のアイコン２１は１段目、２ページ目のアイコン２２は２段目、３ページ目のアイコン２３は３段目に表示している。各段においては、アイコン２１〜２３をそれぞれ横方向に一列または二列に並べて表示している。なお、ここではアイコン２１〜２３の表示領域を上・中・下の３段に分けたが、分け方はこの例に限定されない。
【００４２】
図６の例も、携帯端末２００のページ別にアイコン２１〜２３の表示領域を区別して表示させる一態様である。図６（ａ）は、携帯端末２００の表示部２０３に表示される画面の例であり、１ページ目のアイコン画面を示している。図６（ｂ）は、車載装置１００の表示部１０３に表示されるアイコン画面の例を示している。
【００４３】
図６（ａ）に示すように、携帯端末２００の表示部２０３には、複数のアイコン３１，３２および操作ボタン３３が表示されている。斜線を付していないアイコン３１は、車載装置１００で利用可能なアプリケーションに対応するものである。一方、斜線を付してあるアイコン３２は、車載装置１００で利用できないアプリケーションに対応するものである。これら複数のアイコン３１，３２が、縦３段×横４列のマトリクス状に配置されている。
【００４４】
一方、図６（ｂ）に示すように、車載装置１００では、携帯端末２００のページ別にアイコン２１〜２３の表示領域を区別し、携帯端末２００の画面上における表示レイアウトと同じレイアウトで携帯端末２００の各ページのアイコン２１〜２３を表示させている。具体的には、アイコン２１〜２３の表示領域を左・中・右の３列に分け、１ページ目のアイコン２１（図６（ａ）のアイコン３１に相当）は１列目、２ページ目のアイコン２２は２列目、３ページ目のアイコン２３は３列目に表示している。
【００４５】
そして、左・中・右の各列においては、各ページのアイコンのうち車載装置１００で利用可能なアイコン２１〜２３のみを、携帯端末２００の画面上における表示レイアウトと同じレイアウトで表示させている。図６（ｂ）において、点線で示すアイコンは、車載装置１００で利用できないアイコンであり、車載装置１００の画面上には表示されない。例えば、１ページ目に関しては、携帯端末２００の画面上に表示されている各アイコン３１，３２のうち、車載装置１００で利用可能なもののみをアイコン２１として、携帯端末２００と同じ表示レイアウトで表示させている。
【００４６】
図６（ｂ）のような態様で携帯端末２００と同じ表示レイアウトに従ってアイコン２１〜２３を表示させるためには、各アイコンのページ情報に加えて、携帯端末２００のページ内でのアイコン３１，３２の表示レイアウトを表すレイアウト情報（例えば、何段目の何列目に表示されるかという位置情報）を携帯端末２００から車載装置１００に送信する必要がある。
【００４７】
なお、図６（ｂ）の例では、アイコン２１〜２３の表示領域を左・中・右の３列に分けたが、分け方はこの例に限定されない。また、携帯端末２００の場合と同様に、ページ遷移をさせてページ毎にアイコン２１〜２３を表示させるようにしてもよい。
【００４８】
また、上記実施形態では、利用可否判定部１０５を設け、車載装置１００で利用できるアプリケーションに対応するアイコンのみを表示部１０３に表示させる例について説明したが、本発明はこれに限定されない。すなわち、車載装置１００で利用できるアプリケーションに限らず、携帯端末２００にインストールされているアプリケーションに対応するアイコンを全て表示部１０３に表示させるようにしてもよい。
【００４９】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５０】
１００  車載装置
１０１  通信部（情報取得部）
１０４  画面表示制御部
１０５  利用可否判定部
【図１】
0005730672.tif 000002
【図２】
0005730672.tif 000003
【図３】
0005730672.tif 000004
【図４】
0005730672.tif 000005
【図５】
0005730672.tif 000006
【図６】
0005730672.tif 000007